(57)【要約】      （修正有）【課題】キャリッジを動かした際のインクカートリッジの回転を防ぎ、安定した印刷装置との通信をすることができるインクカートリッジを提供する。【解決手段】インクを収容するインク収容室を内包し底面にインク供給口を備える筐体１０と、印刷装置の印刷装置側係合部に係合可能な係合部３１と、印刷装置の印刷装置側回路基板に電気的に接触して印刷装置との通信を行う回路基板３４と、を備えるインクカートリッジ１であって、インクカートリッジ１を印刷装置に装着した状態において、係合部３１は水平係合部３２と一対の垂直係合部３３とを備え、水平係合部３２は、印刷装置側係合部の下部面の一部に係合し、一対の垂直係合部３３は、印刷装置側係合部の両側面を外側から挟持する構成にする。【選択図】図１
0003209611.tif 000002
【実用新案登録請求の範囲】
【請求項１】
インクを収容するインク収容室を内包し底面にインク供給口を備える筐体と、印刷装置の印刷装置側係合部に係合可能な係合部と、前記印刷装置の印刷装置側回路基板に電気的に接触して前記印刷装置との通信を行う回路基板と、を備えるインクカートリッジであって、
インクカートリッジを前記印刷装置に装着した状態において、前記係合部は水平係合部と一対の垂直係合部とを備え、前記水平係合部は、前記印刷装置側係合部の下部面の一部に係合し、一対の前記垂直係合部は、前記印刷装置側係合部の両側面を外側から挟持することを特徴とするインクカートリッジ。
【考案の詳細な説明】
【技術分野】
【０００１】
本考案は、インクジェット式プリンタに搭載されるインクカートリッジに関し、さらに詳しくは、プリンタ側係合部に係合する係合部を備えたインクカートリッジに関する。
【背景技術】
【０００２】
印刷装置には、印字機構（ヘッド）から記録液であるインクを吐出して記録媒体に記録を行うインクジェット方式と呼ばれるものがある。インクジェット方式の印刷装置では、印字機構に対するインクの供給方式として、交換式インクカートリッジを着脱自在に装着し、印字機構にインク吐出口から直接インクを供給する方式が知られている。
【０００３】
また、インクジェット方式の印刷装置に使用されるインクカートリッジにおいて、印刷装置のホルダーに係止するために係止部を備え、ホルダーと係止部の係止によってインクカートリッジの装着を維持することが知られている（例えば特許文献１）。
【先行技術文献】
【特許文献】
【０００４】
【特許文献１】特開２０１４−６５３０９号公報
【考案の概要】
【考案が解決しようとする課題】
【０００５】
しかしながら、上記特許文献では、ホルダーに係止する係止部が小さいため、キャリッジを動かした際にインク供給口を中心としてインクカートリッジに回転力が働き、インクカートリッジの回路基板と印刷装置側回路基板との電気的な接触不良を起こし、印刷装置との通信に不具合が生じるという問題があった。
【０００６】
そこで、キャリッジを動かした際にもインクカートリッジが回転しないようにする必要があり、鋭意研究した結果、本考案の完成に至った。本考案は、キャリッジを動かした際のインクカートリッジの回転を防ぎ、安定した印刷装置との通信をすることができるインクカートリッジを提供することを目的とする。
【０００７】
この目的は、実用新案登録請求の範囲における独立項に記載の特徴の組み合わせにより達成される。また、従属項は本考案の更なる有利な具体例を規定する。
【課題を解決するための手段】
【０００８】
即ち、本考案の第１の考案は、インクを収容するインク収容室を内包し底面にインク供給口を備える筐体と、印刷装置の印刷装置側係合部に係合可能な係合部と、前記印刷装置の印刷装置側回路基板に電気的に接触して前記印刷装置との通信を行う回路基板と、を備えるインクカートリッジであって、インクカートリッジを前記印刷装置に装着した状態において、前記係合部は水平係合部と一対の垂直係合部とを備え、前記水平係合部は、前記印刷装置側係合部の下部面の一部に係合し、一対の前記垂直係合部は、前記印刷装置側係合部の両側面を外側から挟持することを特徴とするインクカートリッジである。
【考案の効果】
【０００９】
本考案の第１の考案であるインクカートリッジは、インクを収容するインク収容室を内包し底面にインク供給口を備える筐体と、印刷装置の印刷装置側係合部に係合可能な係合部と、印刷装置の印刷装置側回路基板に電気的に接触して印刷装置との通信を行う回路基板と、を備えるインクカートリッジであって、インクカートリッジを印刷装置に装着した状態において、係合部は水平係合部と一対の垂直係合部とを備え、水平係合部は、印刷装置側係合部の下部面の一部に係合し、一対の垂直係合部は、印刷装置側係合部の両側面を外側から挟持する構成にしている。本考案は、上記の構成としているので、キャリッジが動いた時のインクカートリッジの回転を抑え、インクカートリッジと印刷装置との通信を安定化させることができる。
【図面の簡単な説明】
【００１０】
【図１】本考案の１実施形態におけるインクカートリッジである。
【図２】図１のインクカートリッジの正面図である。
【考案を実施するための形態】
【００１１】
本考案の１実施形態について図面を参照して説明するが、本考案はこの事例に限られるものではなく、適宜選択が可能である。
【実施例１】
【００１２】
図１及び図２に示すように、本実施形態のインクカートリッジ１は、インクを収容するインク収容室を内包し底面にインク供給口２１を備える筐体１０と、印刷装置（図示せず）の印刷装置側係合部（図示せず）に係合可能な係合部３１と、印刷装置の印刷装置側回路基板（図示せず）に電気的に接触して印刷装置との通信を行う回路基板３４と、を備えるインクカートリッジ１であって、インクカートリッジ１を印刷装置に装着した状態において、係合部３１は水平係合部３２と一対の垂直係合部３３，３３とを備え、水平係合部３２は、印刷装置側係合部の下部面の一部に係合し、一対の垂直係合部３３，３３は、印刷装置側係合部の両側面を外側から挟持する構成にしている。
【００１３】
また、筐体１０は少なくともインナーケース２０及びアウターケース３０からなり、係合部３１をアウターケース３０に設けることが望ましい。この構成にすることで、係合部３１の形状を変更する必要が生じた時は、インナーケース２０は変更せずにアウターケース３０のみを変更すれば良いため、製造コストを抑えることができる。なお、回路基板３４もアウターケース３０に設けることで、係合部３１の場合と同様の効果を得られる。
【００１４】
筺体１０の側面のうち、回路基板３４が備えられる斜面１２の上側にある面を正面１１とすると、係合部３１は正面１１に設けられた凹部であり、この凹部に印刷装置側係合部が入るように構成されている。
【００１５】
係合部３１の水平係合部３２は係合部３１の底部であり、インクカートリッジ１を上方から押し込んで印刷装置へ装着する際、水平係合部３２が凸状の印刷装置側係合部の下側に入り込み印刷装置側係合部の下部面に係合することで印刷装置への係合が維持され、インクカートリッジ１の垂直方向の移動を抑えることで、よりインクカートリッジ１と印刷装置との通信を安定化させることができる。
【００１６】
係合部３１の一対の垂直係合部３３，３３は垂直方向に延在する係合部３１の両側面部であり、インクカートリッジ１を上方から押し込んで印刷装置へ装着する際、一対の垂直係合部３３，３３が凸状の印刷装置側係合部の両側面に接しながら移動し、水平係合部３２が凸状の印刷装置側係合部の下側に入り込んで係合した後も一対の垂直係合部３３，３３が凸状の印刷装置側係合部の両側面を挟持する。
【００１７】
また、インクカートリッジ１を取り外す際には、印刷装置側係合部のレバーを押して回転させることで印刷装置側係合部と水平係合部３２との係合が外れる。このとき、印刷装置側係合部と筐体１０との距離が近いと、印刷装置側係合部が回転の途中で筐体１０にぶつかり、印刷装置側係合部と水平係合部３２との係合が外れなくなる場合がある。これを防ぐために、筐体１０の正面１１側に可動部３５が備えられ、印刷装置側係合部が回転した時に可動部３５に当たっても、可動部３５が変形するので印刷装置側係合部の回転を妨げないようにすることができる。
【符号の説明】
【００１８】
１…インクカートリッジ
１０…筺体
２０…インナーケース
２１…インク供給口
３０…アウターケース
３１…係合部
３２…水平係合部
３３…垂直係合部
３４…回路基板
３５…可動部
【図１】
0003209611.tif 000003
【図２】
0003209611.tif 000004